(57)【特許請求の範囲】
【請求項１】
出入り口の下枠に下枠の長手方向に長い水止め部材を回転自在に枢支して水止め部材を上下に起倒自在に装着し、出入り口をドア、引戸等の閉鎖部材で閉塞したとき閉鎖部材から離れる方向に水止め部材を回動させて水止め部材を起立させ、閉鎖部材を開放したとき水止め部材を閉鎖部材の方向に回動させて下枠の上に倒す出入り口の下枠部分の構造であって、閉鎖部材を閉じたとき閉鎖部材で押されるトリガーを摺動自在になるように出入り口の下枠に配置し、上記トリガーの摺動に連動させて水止め部材を回動駆動させる駆動機構をトリガーと水止め部材との間に連結し、閉塞部材が温度変化による体積膨張を起こしても閉塞部材の下枠が出入り口の下枠にぶつからないようにさせる隙間を閉鎖部材の下枠と出入り口の下枠との間に設け、上記トリガーに閉鎖部材を閉じたときに閉鎖部材の下枠に当接する被当接部を備えたキャップを装着し、上記被当接部を上端が閉鎖部材の下枠の下面よりも上方に位置するように高く突出させたことを特徴とする出入り口の下枠部分の構造。
【請求項２】
出入り口の少なくとも下枠に長手方向に亘ってレール溝を形成し、折り畳み扉である閉鎖部材の少なくとも下枠に閉鎖部材の回転中心となる開閉軸を突設し、上記レール溝に上記開閉軸をスライド自在に挿入し、レール溝の端部位置に位置させた開閉軸を位置決めするストッパをレール溝にレール溝を塞ぐように着脱自在に設け、駆動機構を構成せる駆動ユニットのケーシングにトリガー用開口を設け、このトリガー用開口にトリガーを水平で且つレール溝の長手方向と直交する方向に摺動自在に配置し、トリガーに被着したキャップを、トリガー用開口を覆う水平板状のフランジ部とこのフランジ部から上方に突出した被当接部とで構成し、このフランジ部の外縁部分のうちレール溝に被さる部位で且つレール溝の長手方向に平行な方向の両端部位を円弧状に形成したことを特徴とする請求項１に記載の出入り口の下枠部分の構造。
【発明の詳細な説明】
【０００１】
【発明の属する技術分野】
本発明は、浴室等の出入り口の下枠部分の構造に関し、詳しくは出入り口のドアのような閉鎖部材を閉じたとき水止め部材が立ち上がって防水する手段を備えた出入り口の下枠部分の構造に関する発明である。
【０００２】
【従来の技術】
従来から、浴室等の出入り口には、出入り口のドアのような閉鎖部材３を閉じたとき水止め部材４を起立させて浴室に隣接した脱衣所等を防水するような手段が設けられるものがあった。これは、例えば図１３に示すようなものである。ドアのような閉鎖部材３が配置された出入り口の下枠１ａには上下に起倒自在な水止め部材４が出入り口の下枠の長手方向に平行な方向を軸として回転自在に枢支されている。ここで、水止め部材４は出入り口の下枠１ａの長手方向に亘るような板状に形成されたものである。また、出入り口の下枠１ａには上記水止め部材４を起立させる駆動ユニット１６が設けられている。この駆動ユニット１６は、摺動自在に配設したトリガー５と、上記トリガー５の摺動に連動させて水止め部材４を回動駆動させる駆動機構６とで構成されるものであり、トリガー５を閉鎖部材３から離れる方向に摺動させると水止め部材４が起立し、トリガー５を閉鎖部材３に近づく方向に摺動させると水止め部材４が下枠１ａの上に倒れるものである。このトリガー５の摺動を閉鎖部材３の開閉運動と連動させることによって、閉鎖部材３の開閉運動に連動して水止め部材４を起立したり倒したりしているものである。このような浴室に隣接した脱衣所等を防水するような手段は、特に浴室と脱衣所との間に段差を極力設けないようにしたバリアフリー構造に出入り口付近が形成されている場合に、浴室から脱衣所に向う水を水止め部材４で止水して脱衣所を防水できるものであり、有効なものである。
【０００３】
【発明が解決しようとする課題】
しかしながら、温度変化の大きい浴室ではその出入り口のドアのような閉鎖部材３は上記温度変化の影響を受けて体積膨張することがあるものである。そのために上記閉鎖部材３の膨張を吸収し得るように閉鎖部材３の下枠３ａと出入り口の下枠１ａとの間には隙間７を設けているものである。この隙間７があるので、閉鎖部材３の開閉運動をトリガー５に連動させるためには、トリガー５にキャップ８を装着し、閉鎖部材３の下枠３ａの下面から下方に突出するように閉鎖部材３の下枠３ａにネジ等で当接具４０を固着し、上記当接具４０をキャップ８に当接させていた。このように、閉鎖部材３に閉鎖部材３とは別体の当接具４０を設けなければならないので部品点数を増やしてしまうものであり、また、閉鎖部材３の下枠３ａの下面から下方に突出させるように固着する当接具４０は、結局のところ、上記隙間７の上下の幅を無くしてしまうものであって、例えば、熱いシャワーが閉鎖部材３に長時間当った場合などの閉鎖部材３の体積膨張が著しい場合には、当接具４０が出入り口の下枠１ａに当接してしまったりして、閉鎖部材３の開閉運動を妨げてしまい当接具４０をキャップ８に当接させることができなくなったりする、といった問題があった。
【０００４】
本発明は上記の点に鑑みてなされたものであり、出入り口のドアのような閉鎖部材の温度変化に伴う膨縮にも対応し、閉鎖部材を閉じたときに水止め部材を起立させて防水する手段を備えた出入り口の下枠部分の構造を提供することを課題とするものである。
【０００５】
【課題を解決するための手段】
上記課題を解決するために本発明の請求項１に係る出入り口の下枠部分の構造においては、出入り口の下枠１ａに下枠１ａの長手方向に長い水止め部材４を回転自在に枢支して水止め部材４を上下に起倒自在に装着し、出入り口をドア、引戸等の閉鎖部材３で閉塞したとき閉鎖部材３から離れる方向に水止め部材４を回動させて水止め部材４を起立させ、閉鎖部材３を開放したとき水止め部材４を閉鎖部材３の方向に回動させて下枠１ａの上に倒す出入り口の下枠部分の構造であって、閉鎖部材３を閉じたとき閉鎖部材３で押されるトリガー５を摺動自在になるように出入り口の下枠１ａに配置し、上記トリガー５の摺動に連動させて水止め部材４を回動駆動させる駆動機構６をトリガー５と水止め部材４との間で連結し、閉塞部材３が温度変化による体積膨張を起こしても閉塞部材３の下枠３ａが出入り口の下枠１ａにぶつからないようにさせる隙間７を閉鎖部材３の下枠３ａと出入り口の下枠１ａとの間に設け、上記トリガー５に閉鎖部材３を閉じたときに閉鎖部材３の下枠３ａに当接する被当接部８ａを備えたキャップ８を装着し、上記被当接部８ａを上端が閉鎖部材３の下枠３ａの下面よりも上方に位置するように高く突出させたことを特徴とする。これにより、キャップ８の被当接部８ａが閉鎖部材３の下枠３ａの下面よりも上方に上面を位置させるように出入り口の下枠１ａから高く突設したので、閉鎖部材３の下枠３ａを直接被当接部８ａに当接させることができるものであり、従来の例のように閉鎖部材３の下枠３ａの下面に閉鎖部材３とは別体である当接具４０を設けることなくキャップ８に閉鎖部材３の開閉運動を伝達させることができるものであり、部品点数を減らすことができるものであり、また、当接具４０を突設しないので、閉鎖部材３の下枠３ａと出入り口の下枠１ａとの間に設けられる隙間７の上下の幅を減少させることがなく、温度変化に伴う閉鎖部材３の体積膨張に対する許容幅を大きく取ることができるものであり、使い勝手の向上を図ることができるものである。
【０００６】
また本発明の請求項２の出入り口の下枠部分の構造は、請求項１において、出入り口の少なくとも下枠１ａに長手方向に亘ってレール溝２を形成し、折り畳み扉３'である閉鎖部材３の少なくとも下枠３ａに閉鎖部材３の回転中心となる開閉軸９を突設し、上記レール溝２に上記開閉軸９をスライド自在に挿入し、レール溝２の端部位置に位置させた開閉軸９を位置決めするストッパ１０をレール溝２にレール溝２を塞ぐように着脱自在に設け、駆動機構を構成せる駆動ユニット１６のケーシング１８にトリガー用開口２２を設け、このトリガー用開口２２にトリガー５を水平で且つレール溝２の長手方向と直交する方向に摺動自在に配置し、トリガー５に被着したキャップ８を、トリガー用開口２２を覆う水平板状のフランジ部８ｂとこのフランジ部８ｂから上方に突出した被当接部８ａとで構成し、このフランジ部８ｂの外縁部分のうちレール溝２に被さる部位で且つレール溝２の長手方向に平行な方向の両端部位８ｃを円弧状に形成したことを特徴とする。これにより、ストッパ１０を取り外して（固定状態を解いて）開閉軸９がレール溝２に沿ってスライド移動する場合に、レール溝２に被さるようにキャップ８が位置してスライド移動した開閉軸９と当接してしまうものであっても、フランジ部８ｂの外縁部分のうちレール溝２に被さる部位で且つレール溝２の長手方向に平行な方向の両端部位８ｃを円弧状に形成したので、開閉軸９がスライドして上記キャップ８に当接した際には、その衝撃をキャップ８からレール溝２ａと直交する方向に逃がすようにキャップ８及びトリガー５をレール溝２ａと直交して閉鎖部材３から遠ざかる方向に摺動させて吸収させることができるものであり、キャップ８に無理な力をかけないで開閉軸９をレール溝２ａに沿ってスライド移動できるものであり、キャップ８や開閉軸９等の破損を防ぐことができるものである。
【０００７】
【発明の実施の形態】
以下、本発明を添付図面に示す実施形態に基づいて説明する。
【０００８】
図１乃至１１に本発明の実施の形態の例を示す。本例では、浴室と脱衣所との間の出入り口においての構造を示すものである。この出入り口は枠体１で形成されるものであり、上記枠体１の下枠１ａ及び上枠１ｂにはそれぞれ長手方向に亘ってレール溝２（下枠１ａのレール溝２ａ，上枠１ｂのレール溝２ｂ）が穿設されているものである。また、この出入り口には出入り口を塞ぐ閉鎖部材３として、図３乃至図５に示す、２枚のパネルから構成される２つ折りの折り畳み扉３’を開閉自在に装着してある。
【０００９】
この折り畳み扉３’は、２枚のパネルの側端同士を回動自在のヒンジ部１３を間に介して突き合せるように配置し、一方のパネルの一端を出入り口の側端に回動自在に軸支すると共に他端を他方のパネルの一端とヒンジ部１３を介して連結し、上記ヒンジ部１３を装着しない他方のパネルの他端を出入り口の上枠１ｂ及び下枠１ａに設けたレール溝２ａ，２ｂに沿って出入り口の長手方向に摺動自在に移動するようにしたものである。詳述すると、折り畳み扉３’の下枠３ａ及び上枠３ｂの両側端（出入り口の両側端に位置する）からそれぞれ開閉軸９を上下に突出させているものである。上記開閉軸９はそれぞれ下枠１ａ及び上枠１ｂに設けたレール溝２ａ，２ｂに挿入されるものである。ここで、上枠１ｂに設けられたレール溝２ｂにはその内部に上記レール溝２ｂに沿って滑らかに摺動する摺動車１２が配置されており、上枠１ｂから突出した開閉軸９は上記摺動車１２と回転自在に装着するものである。このようにして、それぞれパネルを上記摺動車１２から吊り下げるようにして折り畳み扉３’は出入り口に配置されるものである。ここで、折り畳み扉３’のパネルはそれぞれ下枠３ａと出入り口の下枠１ａとの間に隙間７を設けるようにしてパネルを上記摺動車１２から吊り下げているものである。上記隙間７は、従来の例の項で述べたように、折り畳み扉３が温度変化による体積膨張を起こしても、折り畳み扉３’の下枠３ａと出入り口の下枠１ａがぶつからないように寸法的に余裕を持たせたものである。そして、図２に示すように、折り畳み扉３’の一方の側端に設けた開閉軸９を出入り口の一方の側端にストッパ１０を介して位置固定するものである。このストッパ１０は、レール溝２を塞いで開閉軸９のスライド移動を妨げて上記開閉軸９を位置固定させるものであり、レール溝２に着脱自在に設けられるものである。ここで、後述するが、レール溝２にはキャップ８の被当接部８ａ及びフランジ部８ｂが被さる部分ができることがあるが、あらかじめキャップ８のレール溝２の長手方向の長さよりもストッパ１０のレール溝２の長手方向の長さを長く形成し、上記ストッパ１０を上記レール溝２のキャップ８が被さる部分に設けておくと、レール溝２ａをスライド移動する開閉軸９がキャップ８にぶつからないようにすることができるものである。なお、折り畳み扉３’の開閉は、２枚のパネルのヒンジ部１３を設けた突き合わせ部分をレール溝２と直交する方向に移動させながら、位置固定されていない開閉軸９及び摺動車１２をレール溝２ａ，２ｂに沿ってスライド移動させて行われるものである。
【００１０】
上記のような折り畳み扉３’が配置される浴室と脱衣所との間の出入り口は、近年、滑らかな床面にしたバリアフリー構造が多用されるものであるが、滑らかな床面であるために脱衣所に浴室で使用した湯水がたやすく侵入してしまうものであるので、浴室と脱衣所の間の出入り口には、浴室から脱衣所に湯水が入らないように止水する板状の水止め部材４を設けるものである。本例では、水止め部材４は下枠１の長手方向に亘るような板状に形成されたものであり、下枠１の浴室側と反対側の位置の下枠１の上に起倒自在に装着してあるものである。つまり、下枠１には長手方向に亘るように枢支軸部１４を設けると共に、水止め部材４の縁部に長手方向に亘るように枢支部１１を設け、上記枢支部１１を枢支軸部１４に回転自在に連結し、水止め部材４が下枠１に対して起倒自在に装着してあるものである。下枠１の長手方向の両方の端部には止水板１５を装着してあり、水止め部材４を起立させたとき水止め部材４が止水板１５の下面に当接するようになっている。
【００１１】
この水止め部材４は、出入り口に配置された折り畳み扉３’の開閉運動と連動して起立したり倒れたりするように枢支部１１を中心にして回動するものであるが、折り畳み扉３’と水止め部材４との間には次に述べる駆動ユニット１６を介して折り畳み扉３’の開閉運動を水止め部材４に伝動させているものである。
【００１２】
駆動ユニット１６は図６乃至図１１に示すように、アーム１９，駆動用バネ２０、復帰用バネ２１等をケーシング１８に装着して構成された駆動機構６、トリガー５、キャップ８等で構成されているものである。ケーシング１８にはトリガー用開口２２や一対のアーム収納開口２３を設けてあり、ケーシング１８の両側面に摺動ガイド溝２４を設けてある。この摺動ガイド溝２４は水平ガイド溝２４ａと傾斜ガイド溝２４ｂとで構成されている。またケーシング１８のアーム収納開口２３の下方にはガイドレール部２５を設けてある。アーム１９は２個一組となっており、アーム１９の基部を連結部２６で一体に連結してある。２個のアーム１９はケーシング１８のアーム収納開口２３に摺動自在に挿入してガイドレール部２５に載せてあり、アーム５の側面に突設した摺動ピン２７，２８を摺動ガイド溝２４に摺動自在に装着してある。そして摺動ピン２７は水平ガイド溝２４ａに沿って摺動し、摺動ピン２８は傾斜ガイド溝２４ｂに沿って摺動するようになっている。トリガー５は基台部５ａと半円筒状の操作部５ｂを一体に設けて形成されており、トリガー５はトリガー用開口２２に摺動自在に装着してある。アーム１９の基部側にはバネ収納凹所２９を設けてあり、コイルバネのような駆動用バネ２０をバネ収納凹所２９に挿入してあり、駆動用バネ２０のアーム１９の基端から突出する端部をトリガー５の基台部５ｂに当接してある。駆動用バネ２０を装着した状態では駆動用バネ２０の力が作用していなくてアーム１９が水平に倒れた状態である。またアーム１９の連結部２６とケーシング１８との間にはコイルバネのような復帰用バネ２１を介装してあり、アーム１９がトリガー５の方に摺動して倒れた状態になっている。復帰用バネ２１と駆動用バネ２０とは復帰用バネ２１の方が駆動用バネ２０よりバネ定数が小さくしてある。一対のアーム１９の先端にはアーム１９の摺動方向と直交する方向にピン埋設孔３０を穿設してあり、スプリングピンのような連結ピン３１をピン埋設孔３０に挿入することで一方のアーム１９に連結ピン３１を装着してあり、アーム１９から下枠１の長手方向と平行になるように連結ピン３１を突設してある。水止め部材４の端部の下面には係止フック３２を装着してあり、この係止フック３２に連結ピン３１を係止してある。また、トリガー５の操作部５ｂは半円筒状になっているが、この操作部５ａを覆うように上面を閉塞した有底半円筒状の被当接部８ａを有すると共に被当設部８ａの下端で外方に向けて水平に突出するフランジ部８ｂを有するキャップ８を被嵌するものである。ここで、キャップ８の被当接部８ａはその上面を出入り口に配置した折り畳み扉３’の下枠３ａの下面よりも上方に位置するように高く形成するものである。このようにすることで、被当接部８に閉鎖部材３の下枠３ａを直接当接することができるものである。なお、フランジ部８ｂはトリガー用開口２２を覆うものであり、トリガー用開口２２からケーシング１８の内部に異物が侵入するのを防止するものである。
【００１３】
上述のように構成された駆動ユニット１６は、出入り口の下枠１の長手方向の一端側（折り畳み扉３’の開閉軸９が位置決め固定された側）に設けた設置凹所１７にキャップ８を折り畳み扉３’側にしてはめ込んで埋設するように設置してあるものである。詳述すると、キャップ８の被当接部８ａが出入り口の下枠１ａに設けられたレール溝２ａの略上方にあるようにキャップ８の位置を調整するものである。また、上述したように、キャップ８の被当接部８ａはその上面を出入り口に配置した折り畳み扉３’の下枠３ａの下面よりも上方に位置するように高く形成するものである。
【００１４】
このようにすることで、出入り口の折り畳み扉３’が閉じたときに、折り畳み扉３’の下枠３ａをキャップ８の被当接部８ａに直接当接させることができるものである。このように本例では、閉鎖部材３の下枠３ａを被当接部８ａに直接当接させることができるものであり、従来の例のように閉鎖部材３の下枠３ａの下面から当接具４０を突設させることなくキャップ８に閉鎖部材３の開閉運動を伝達させることができるものであり、当接具４０の分、部品点数を減らして、出入り口の下枠部分の構造の簡略化を図ることができるものであり、また、当接具４０を突設しないので、閉鎖部材３の下枠３ａと出入り口の下枠１ａとの間に設けられる隙間７の上下の幅を減少させることがなく、温度変化に伴う閉鎖部材３の体積膨張に対する許容幅を大きく取ることができるものであり、使い勝手の向上を図ることができるものである。
【００１５】
なお、この駆動ユニット１６は、折り畳み扉３’の開閉運動に連動し、水止め部材４を起立または倒すように枢支部１１を中心に回動させるものであるが、以下、その動作を述べるものである。
【００１６】
折り畳み扉３’を開いた状態では、折り畳み扉３’のパネルによりキャップ８の被当接部８ａが押されることはなく、キャップ８が被着するトリガー５が押されることはなく、水止め部材４は下枠１ａに倒れた状態である。このときアーム１９は図１０（ａ）のように突出していなくて、アーム収納開口２３に収まっている。折り畳み扉３’を開いた状態では水止め部材４が水平に倒れているために通行時に水止め部材４に足が引っ掛かったりすることがない。
【００１７】
この状態から折り畳み扉３’を閉じると、折り畳み扉３’の位置決め固定された開閉軸９を設けた方のパネルの下枠３ａがキャップ８の被当接部８ａに当接し、図１０（ａ）の矢印ａのようにキャップ８の被当接部８ａが押される。キャップ８はトリガー５に被着しているものであるので、キャップ８がトリガー５も押すものであり、上記トリガー５が駆動用バネ２０を介してアーム１９を押し、アーム１９が復帰用バネ２１に抗して摺動する。アーム１９が摺動すると、上記のようにアーム１９の先端が斜めに上がるように枢支部１１側に向けて摺動する。これによりアーム１９の先端から図１０（ｂ）の矢印ｂ方向に作用する力で水止め部材４の枢支部１１の近傍が押されて水止め部材４が回動し、水止め部材４が図１に示すように起立する。水止め部材４が立ち上がると、水止め部材４の両端の上面が止水板１５の下面に当接し、浴室側から脱衣所に水が漏れるのを確実に防止できる。
【００１８】
更に、このような状態から、再び折り畳み扉３’を開くと、折り畳み扉３’の下枠３ａがキャップ８の被当接部８ａから離れ、トリガー５の押圧が解除され、復帰用バネ２１にてアーム１９及びトリガー５が上記と逆に摺動し、アーム１９が水平に倒れることで水止め部材４も倒れるものである。このとき、アーム１９に復帰用バネ２１の力がかかり、連結ピン３１に図１０（ｃ）の矢印ｃの力が作用し、連結ピン３１と係止フック３２とが係止されているために、図１０（ｄ）のように、水止め部材４が復帰用バネ２１の力で下方に引かれて倒れるものである。
【００１９】
図１２には実施の形態の他例を示すものである。これは、キャップ８のフランジ部８ｂの外縁部分のうちレール溝２に被さる部位で且つレール溝２の長手方向に平行な方向の両端部位８ｃを円弧状に形成したものである。上述したように、出入り口の下枠１ａに設けられた設置凹所１７に埋設させた駆動ユニット１６は、折り畳み扉３'が閉じた場合に折り畳み扉３'の下枠３ａがキャップ８の被当接部８ａに当接するようにするため、被当設部８ａの下端で外方に向けて水平に突出するフランジ部８ｂは出入り口の下枠１ａのレール溝２ａに被さるように位置させることが多いものである。このような状態で、折り畳み扉３'の開閉方向を変えるために、位置固定した開閉軸９を位置固定していなかった開閉軸９に変える際にはレール溝２ａからストッパ１０を取り外し（固定状態を解いて）、折り畳み扉３'をレール溝２ａに沿って摺動させ、位置固定されていなかった開閉軸９を出入り口の側端に位置させ、上記開閉軸９に隣接してストッパ１０を再びレール溝２ａに取り付けるものである。ここで、折り畳み扉３'をレール溝２ａに沿ってスライド移動させる際にはレール溝２ａに被さるように位置したキャップ８に開閉軸９がぶつかってしまうものであるが、キャップ８のフランジ部８ｂの外縁部分のうちレール溝２に被さる部位で且つレール溝２の長手方向に平行な方向の両端部位８ｃを円弧状に形成しておくと、キャップ８に開閉軸９がぶつかった場合にもその衝撃をトリガー５の摺動方向（レール溝２ａと直交する方向）に逃がすようにキャップ８及びトリガー５を折り畳み扉３'から遠ざかる方向に摺動させることができるものであり、駆動ユニット１６に無理な力をかけないで開閉軸９をレール溝２ａに沿ってスライド移動できるものであり、駆動ユニット１６や開閉軸９等の破損を防ぐことができるものである。
【００２０】
【発明の効果】
上記のように本発明の請求項１記載の出入り口の下枠部分の構造にあっては、出入り口の下枠に下枠の長手方向に長い水止め部材を回転自在に枢支して水止め部材を上下に起倒自在に装着し、出入り口をドア、引戸等の閉鎖部材で閉塞したとき閉鎖部材から離れる方向に水止め部材を回動させて水止め部材を起立させ、閉鎖部材を開放したとき水止め部材を閉鎖部材の方向に回動させて下枠の上に倒す出入り口の下枠部分の構造であって、閉鎖部材を閉じたとき閉鎖部材で押されるトリガーを摺動自在になるように出入り口の下枠に配置し、上記トリガーの摺動に連動させて水止め部材を回動駆動させる駆動機構をトリガーと水止め部材との間で連結し、閉塞部材が温度変化による体積膨張を起こしても閉塞部材の下枠が出入り口の下枠にぶつからないようにさせる隙間を閉鎖部材の下枠と出入り口の下枠との間に設け、上記トリガーに閉鎖部材を閉じたときに閉鎖部材の下枠に当接する被当接部を備えたキャップを装着し、上記被当接部を上端が閉鎖部材の下枠の下面よりも上方に位置するように高く突出させたので、閉鎖部材の下枠を直接被当接部に当接させることができるものであり、従来の例のように閉鎖部材の下枠の下面から当接具を突設させることなくキャップに閉鎖部材の開閉運動を伝達させることができるものであり、部品点数を減らすことができるものであり、また、当接具を突設しないので、閉鎖部材の下枠と出入り口の下枠との間に設けられる隙間の上下の幅を減少させることがなく、温度変化に伴う閉鎖部材の体積膨張に対する許容幅を大きく取ることができるものであり、使い勝手の向上を図ることができるものである。
【００２１】
また、本発明の請求項２に記載の出入り口の下枠部分の構造は、請求項１の効果に加えて、出入り口の少なくとも下枠に長手方向に亘ってレール溝を形成し、折り畳み扉である閉鎖部材の少なくとも下枠に閉鎖部材の回転中心となる開閉軸を突設し、上記レール溝に上記開閉軸をスライド自在に挿入し、レール溝の端部位置に位置させた開閉軸を位置決めするストッパをレール溝にレール溝を塞ぐように着脱自在に設け、駆動機構を構成せる駆動ユニットのケーシングにトリガー用開口を設け、このトリガー用開口にトリガーを水平で且つレール溝の長手方向と直交する方向に摺動自在に配置し、トリガーに被着したキャップを、トリガー用開口を覆う水平板状のフランジ部とこのフランジ部から上方に突出した被当接部とで構成し、このフランジ部の外縁部分のうちレール溝に被さる部位で且つレール溝の長手方向に平行な方向の両端部位を円弧状に形成したので、ストッパを取り外して（固定状態を解いて）開閉軸がレール溝に沿ってスライド移動する場合に、レール溝に被さるようにキャップが位置してスライド移動した開閉軸が上記キャップに当接してしまうものであっても、キャップのフランジ部の外縁部分のうちレール溝に被さる部位で且つレール溝の長手方向に平行な方向の両端部位を円弧状に形成したことから、開閉軸がスライドして上記キャップに当接した際には、その衝撃をキャップ及びトリガーの摺動方向（レール溝と直交する方向）に逃がすようにキャップ及びトリガーを閉鎖部材から遠ざかる方向に摺動させることができるものであり、駆動ユニットに無理な力をかけないで開閉軸をレール溝に沿ってスライド移動できるものであり、駆動ユニットや開閉軸等の破損を防ぐことができるものである。
【図面の簡単な説明】
【図１】本発明の実施の形態の例を示す出入り口の下枠部分の構造の側面図である。
【図２】同上の部分上面図である。
【図３】同上の出入り口の閉鎖部材を構成する折り畳み扉の正面図である。
【図４】図３の折り畳み扉の側面断面図である。
【図５】図３の上面断面図である。
【図６】同上の駆動ユニットを示す斜視図である。
【図７】同上の駆動ユニットの分解斜視図である。
【図８】同上の駆動ユニットを示すもので、（ａ）は平面図であり、（ｂ）は側面図であり、（ｃ）は正面図である。
【図９】（ａ）は図８（ａ）のＢ−Ｂ断面図であり、（ｃ）は図８（ａ）のＣ−Ｃ断面図である。
【図１０】同上の駆動ユニットの動作を説明する説明図であり、（ａ）はキャップが閉鎖部材により押される前の状態を示すものであり、（ｂ）はキャップが閉鎖部材により押されてアームの先端が上方に上がった状態を示すものであり、（ｃ）はキャップから閉鎖部材が離れた状態を示すものであり、（ｄ）はキャップが閉鎖部材により押される前の状態に戻った状態を示すものである。
【図１１】同上の駆動ユニットの動作を説明する説明図であり、（ａ）はキャップが閉鎖部材により押されていない状態を示すものであり、（ｂ）はキャップが閉鎖部材により押された状態を示すものである。
【図１２】本発明の実施の形態の他例を示す駆動ユニットの平面図である。
【図１３】従来の例を示す出入り口の下枠部分の構造の側面図である。
【符号の説明】
１ａ  下枠
２  レール溝
３  閉鎖部材
３ａ  下枠
４  水止め部材
５  トリガー
６  駆動機構
７  隙間
８  キャップ
８ａ  被当接部
【図１】
0003546810.tif 000002
【図２】
0003546810.tif 000003
【図３】
0003546810.tif 000004
【図４】
0003546810.tif 000005
【図５】
0003546810.tif 000006
【図６】
0003546810.tif 000007
【図７】
0003546810.tif 000008
【図８】
0003546810.tif 000009
【図９】
0003546810.tif 000010
【図１０】
0003546810.tif 000011
【図１１】
0003546810.tif 000012
【図１２】
0003546810.tif 000013
【図１３】
0003546810.tif 000014